【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
遊技の進行に応じた演出を表示することができる複数の表示手段と、
前記複数の表示手段にて表示される画像データをそれぞれ生成する画像生成手段と、
前記画像生成手段から出力される前記画像データを含む第１の差動信号と、
前記画像生成手段から出力される前記画像データを含むパラレル信号と、
前記パラレル信号を第２の差動信号に変換する変換手段と、
前記変換手段にて変換された前記第２の差動信号から有効な交流成分を通過することができる有効交流成分通過手段と、
前記有効交流成分通過手段を通過した前記第２の差動信号を元の信号に復号する復号手段と、を有し、
前記画像生成手段は、同一のフレーム周波数で前記複数の表示手段にて表示される画像データをそれぞれ生成し、
前記複数の表示手段うち特定の表示手段には、前記第１の差動信号が出力され、該特定の表示手段を除く他の表示手段には、前記復号手段にて復号された信号が出力されてなることを特徴とする遊技機。
【手続補正２】
【補正対象書類名】明細書
【補正対象項目名】０００２
【補正方法】変更
【補正の内容】
【０００２】
従来より、前枠の前面に設けられる遊技情報表示窓を介して液晶表示ユニットの表示画面に表示される遊技に係わる情報、演出情報を視認可能な遊技機が提案されている（例えば、特許文献１）。
【手続補正３】
【補正対象書類名】明細書
【補正対象項目名】０００３
【補正方法】変更
【補正の内容】
【０００３】
【特許文献１】特開２００７−２６７８９９号公報（段落［００１９］、段落［００２２］、段落［００３４］、及び図１〜図３）
【手続補正４】
【補正対象書類名】明細書
【補正対象項目名】０００４
【補正方法】変更
【補正の内容】
【０００４】
特許文献１に記載される遊技機においては、副制御基板が主制御基板から送信されてくる制御コマンドに基づいて液晶表示ユニットの表示画面に文字、画像等を表示する演出を行うことができるようになっている。
【手続補正５】
【補正対象書類名】明細書
【補正対象項目名】０００５
【補正方法】変更
【補正の内容】
【０００５】
ところで、特許文献１に記載される遊技機においては、液晶表示ユニットという単一の表示手段で文字、画像等を綺麗に表示する演出を行うことができるものの、単一の表示手段であるために演出の表現に乏しいという問題が生ずる。
【手続補正６】
【補正対象書類名】明細書
【補正対象項目名】０００６
【補正方法】変更
【補正の内容】
【０００６】
本発明は、このような事情に鑑みてなされたものであり、その目的とするところは、複数の表示手段により演出を行うことができる遊技機を提供することにある。
【手続補正７】
【補正対象書類名】明細書
【補正対象項目名】０００８
【補正方法】変更
【補正の内容】
【０００８】
（解決手段１）
遊技の進行に応じた演出を表示することができる複数の表示手段と、前記複数の表示手段にて表示される画像データをそれぞれ生成する画像生成手段と、前記画像生成手段から出力される前記画像データを含む第１の差動信号と、前記画像生成手段から出力される前記画像データを含むパラレル信号と、前記パラレル信号を第２の差動信号に変換する変換手段と、前記変換手段にて変換された前記第２の差動信号から有効な交流成分を通過することができる有効交流成分通過手段と、前記有効交流成分通過手段を通過した前記第２の差動信号を元の信号に復号する復号手段と、を有し、前記画像生成手段は、同一のフレーム周波数で前記複数の表示手段にて表示される画像データをそれぞれ生成し、前記複数の表示手段うち特定の表示手段には、前記第１の差動信号が出力され、該特定の表示手段を除く他の表示手段には、前記復号手段にて復号された信号が出力されてなることを特徴とする遊技機。
【手続補正８】
【補正対象書類名】明細書
【補正対象項目名】０００９
【補正方法】変更
【補正の内容】
【０００９】
この遊技機では、複数の表示手段、画像生成手段、第１の差動信号、パラレル信号、変換手段、有効交流成分通過手段、復号手段を有している。複数の表示手段は、遊技の進行に応じた演出を表示することができるものであり、画像生成手段は、複数の表示手段にて表示される画像データをそれぞれ生成するものである。
【手続補正９】
【補正対象書類名】明細書
【補正対象項目名】００１０
【補正方法】変更
【補正の内容】
【００１０】
第１の差動信号は、画像生成手段から出力される画像データを含むものであり、パラレル信号は、画像生成手段から出力される前記画像データを含むものである。
【手続補正１０】
【補正対象書類名】明細書
【補正対象項目名】００１１
【補正方法】変更
【補正の内容】
【００１１】
変換手段は、パラレル信号を第２の差動信号に変換するものであり、有効交流成分通過手段は、変換手段にて変換された第２の差動信号から有効な交流成分を通過することができるものであり、復号手段は、有効交流成分通過手段を通過した第２の差動信号を元の信号に復号するものである。
【手続補正１１】
【補正対象書類名】明細書
【補正対象項目名】００１２
【補正方法】変更
【補正の内容】
【００１２】
画像生成手段は、同一のフレーム周波数で複数の表示手段にて表示される画像データをそれぞれ生成することができる。複数の表示手段うち、特定の表示手段には、第１の差動信号が出力され、特定の表示手段を除く他の表示手段には、復号手段にて復号された信号が出力されるようになっている。
【手続補正１２】
【補正対象書類名】明細書
【補正対象項目名】００１３
【補正方法】変更
【補正の内容】
【００１３】
本実施形態では、例えば、図９５の液晶表示装置１９００、及びサブ液晶表示装置３４５０が複数の表示手段に相当し、図１０２の周辺制御基板４１４０における音源内蔵ＶＤＰ４１６０ａが画像生成手段に相当し、図１０２の周辺制御基板４１４０における音源内蔵ＶＤＰ４１６０ａのチャンネルＣＨ１（ＬＶＤＳ）から出力される信号が第１の差動信号に相当し、図１０２の周辺制御基板４１４０における音源内蔵ＶＤＰ４１６０ａのチャンネルＣＨ２（ＲＧＢ）から出力される信号がパラレル信号に相当し、図１０２の液晶出力基板３４２０におけるサブ液晶用トランスミッタＩＣ３４２０ａが変換手段に相当し、図１１７のサブ液晶駆動基板３４２５におけるコモンモードチョークコイルＳＤＬ０が有効交流成分通過手段に相当し、図１１７のサブ液晶駆動基板３４２５におけるサブ液晶用レシーバＩＣＳＤＩＣ０が復号手段に相当し、図９５の液晶表示装置１９００が特定の表示手段に相当し、図９５のサブ液晶表示装置３４５０が他の表示手段に相当する。
【手続補正１３】
【補正対象書類名】明細書
【補正対象項目名】００１４
【補正方法】変更
【補正の内容】
【００１４】
本発明の遊技機においては、複数の表示手段により演出を行うことができる。
【手続補正１４】
【補正対象書類名】明細書
【補正対象項目名】１２３２
【補正方法】変更
【補正の内容】
【１２３２】
１…パチンコ遊技機（遊技機）、２…外枠、３…本体枠、４…遊技盤、５…扉枠、１３０…サイドスピーカ、２２２…右上部スピーカ、２６２…左上部スピーカ、８２１…下部スピーカ、４００…操作ユニット、４０１…ダイヤル操作部、４０５…押圧操作部、１１００…遊技領域、１９００…液晶表示装置（特定の表示手段）、２１０１…上始動口、２１０２…下始動口、３４２０…液晶出力基板、３４２０ａ…サブ液晶用トランスミッタＩＣ（変換手段）、３４２５…サブ液晶駆動基板、３４２５ｂ…バックライト電源回路、３４２５ｆ…ＬＥＤ電流調整回路、３４２５ｇ…輝度調整回路、３４３０…サブ液晶駆動基板ボックス、３４３０ａ…調整孔、３４５０…サブ液晶表示装置（他の表示手段）、４１００…主制御基板、４１００ａ…主制御ＭＰＵ、４１１０…払出制御基板、４１１０ｂ…停電監視回路、４１４０…周辺制御基板、４１４０ａ…音量調整ボリューム、４１５０…周辺制御部、４１５０ｃ…周辺制御ＲＡＭ、４１６０…液晶及び音制御部、４１６０ａ…音源内蔵ＶＤＰ（画像生成手段）、４１７０…ランプ駆動基板、４１８０…モータ駆動基板、ＳＤＩＣ０…サブ液晶用レシーバＩＣ（復号手段）、ＳＤＬ０…コモンモードチョークコイル（有効交流成分通過手段）、ＳＤＲ５…抵抗、ＳＤＲ６…抵抗、ＳＤＶＲ０…輝度調整ボリューム。